(57)【要約】【課題】製造コストの上昇を抑えることができながら、収納ラックを傾斜姿勢に保持することができ、しかも、ラック支持棒を片手で簡単に取り付けることができ、さらに、ラック支持棒の長さ調整を行わなくても済む自動販売機の収納装置を提供する。【解決手段】収納ラック２を引き出した際に手前側が下方となる傾斜姿勢に保持する傾斜姿勢保持手段として、自動販売機本体１２の一方の内側壁１２ｂに枢支された連結リンク３３にラック支持棒３５を連結させ、他方の内側壁１２ｃに上下に設けた第１、第２の係止ブラケット３８Ａ、３８Ｂに、ラック支持棒３５を選択的に係合可能に構成する。これにより、簡単な構成でありながら、片手で容易にラック支持棒３５を適した位置に取り付けることができ、便利である。【選択図】　　図１
2004054447.tif 000002
【特許請求の範囲】
【請求項１】
複数の商品を奥行方向に並べて収納する収納ラックが、横方向に複数列配設されているとともに上下に複数段配設され、各収納ラックが手前側へ引き出し自在に配置された自動販売機であって、
上から１段目と２段目との収納ラックに対して、引き出した際に手前側が下方となる傾斜姿勢に保持する傾斜姿勢保持手段を設け、
この傾斜姿勢保持手段として、
収納ラックの後端部またはその近傍箇所に配設され、収納ラックを引き出した際に、自動販売機本体側の部品に係合して、収納ラックの後端部側の支点となる係止部と、
自動販売機本体における一方の内側壁の枢支点を中心として上下に回動自在に枢支された連結リンクと、
この連結リンクにその一端側が連結されたラック支持棒と、
自動販売機本体の他方の内側壁における、前記枢支点よりも高い位置と低い位置とにそれぞれ取り付けられ、前記ラック支持棒の他端部がそれぞれ係合可能である第１、第２の被係合部とが設けられ、
前記ラック支持棒の他端部を第１、第２の被係合部に切り換えて係合させることで、前記ラック支持棒を、前記枢支点よりも高い位置と低い位置とのそれぞれの位置で横方向に延びる姿勢に位置決め可能に構成した
ことを特徴とする自動販売機の収納装置。
【請求項２】
ラック支持棒の他端部が係合する各被係合部に、ラック支持棒の他端部を自動販売機本体の内側壁における奥側の位置にずらして固定する溝部が形成されていることを特徴とする請求項１記載の自動販売機の収納装置。
【発明の詳細な説明】
【０００１】
【発明の属する技術分野】
本発明は自動販売機の収納装置に関するものである。
【０００２】
【従来の技術】
複数の商品を奥行方向に並べて収納し、奥側から手前側に移動するプッシャ機構または、商品を載せたベルトコンベア式機構などにより、商品群を手前側に送って手前側の開口部から商品を順に払い出す自動販売機は既に知られている。
【０００３】
この種の自動販売機は、図９〜図１１に示すように、複数の商品１を奥行方向に順次並べて収納する収納ラック２を、左右に複数列、また、上下に複数段配設している。各収納ラック２には、前後に移動自在のプッシャ３と、収納ラック２の前面に設けられた開口部を開閉するゲート４とが設けられ、商品１を払い出す際に、ゲート４を開けるとともにプッシャ３を手前側に移動させて、商品１を前面開口部から払い出すよう構成されている。
【０００４】
これらの収納ラック２群の前方位置には上下並びに左右方向へ移動自在のバケットユニット５が設けられ、このバケットユニット５に設けられた駆動モータにより駆動される駆動ギヤ６を、収納ラック２に設けられた駆動力伝達ギヤ７に噛み合わせることで、駆動ベルト８を介してプッシャ３を手前側に移動させるようになっている。また、バケットユニット５に設けられた出退自在のロッド（図示せず）を、収納ラック２に設けられた出退当接部２ａに当接させることで、出退当接部２ａに連動するゲート４を開動させる。
【０００５】
そして、自動販売機の前面扉９に設けられた商品選択ボタン（図示せず）が利用客にて押されると、これに対応する商品１が収納された収納ラック２の前方位置までバケットユニット５が移動され、この状態で、バケットユニット５の出退ロッドや駆動モータが駆動されることで、ゲート４が開けられるとともにプッシャ３が手前側に移動されて、商品１が前面の開口部からバケットユニット５内に払い出される。この後、バケットユニット５は、前面扉９の下部に設けられている商品取出口１０の後方位置に設けられた払出開口部１１の位置に移動され、この払出開口部１１を通して商品取出口１０に商品１が払い出される。
【０００６】
ここで、各収納ラック２は、自動販売機本体１２内において前後方向に延びるように配設されたガイド部材としてのガイドレール１３および支持台２２に沿って、各収納ラック２の下部に取り付けられた摺動部１５Ａや摺動ロッド１５Ｂがスライドして手前側へ引き出し自在に支持されている。そして、商品１を収納ラック２内に充填する際には、前面扉９および内扉１４を開けた状態で、収納ラック２を手前に引き出し、収納ラック２の上方から収納ラック２内に商品１を充填するよう構成されている。
【０００７】
ところで、上から１段目および２段目（以下、上段と称す）の収納ラック２は、一般に、人の目の高さよりも高い位置または同等の位置にあるため、商品充填時に収納ラック２を手前側に水平に引き出しただけでは、収納ラック２内を見ることができなかったり、手が届かなかったりして、商品１の充填を行い難い。したがって、これに対処すべく、上段の収納ラック２については、収納ラック２を引き出した際に手前側が下方となり、内部が覗けて奥まで手が届く傾斜姿勢に保持する傾斜姿勢保持機構が設けられている。
【０００８】
従来の傾斜姿勢保持機構としては、図１０に示すように、各収納ラック２に対応して設けられているガイドレール１３や支持台２２の前方位置に、収納ラック２を引き出した際に下方から当接するストッパ１６をそれぞれ設けたものがある。この構造では、収納ラック２を引き出した状態で、後端部だけに設けた摺動ロッド１５Ｂがガイドレール１３の前端部に起立させた規制部１３ａに係合し、かつストッパ１６に収納ラック２が当接して、収納ラック２を手前側が下方となる傾斜姿勢に保持させる。
【０００９】
しかし、このように、上段の各収納ラック２やガイドレール１３に対応してそれぞれストッパ１６を設けたものでは、多数のストッパ１６が必要となるため、製造コストが高価となってしまう。
【００１０】
これに対処すると同時に傾斜姿勢を保持する機構として、図１２に示すように、上段の収納ラック２を引き出す際に、同じ高さに配設されている収納ラック２のガイドレール１３の前方を横切るように左右に延びるラック支持棒１７を取り付け、このラック支持棒１７により、引き出した収納ラック２を下方から支持するように構成することが考えられる。なお、この構成を採用するに際して、常に、ガイドレール１３や支持台２２の前方位置にラック支持棒１７を固定すると、バケットユニット５の移動動作や、バケットユニット５への商品１の払出動作に支障をきたす。したがって、このような不具合を生じないよう、上段の収納ラック２を引き出す際だけ、一時的にラック支持棒１７を取り付けられるようになっている。具体的には、自動販売機本体１２における、上段の収納ラック２に対応する高さの内側壁１２ｂ、１２ｃ両側に、ラック支持棒１７の端部をそれぞれ係合させる係合片１８、１９を取り付け、ラック支持棒１７の取付時に、一方の係合片１８に設けた孔部１８ａにラック支持棒１７の一端部を横方向から挿入し、他方の係合片１９に設けられて上方が開口された溝部１９ａにラック支持棒１７の他端部を上方から挿入して固定するようになっている。また、ラック支持棒１７がなくならないよう、ラック支持棒１７にチェーン２０を介して自動販売機本体１２につないでおき、ラック支持棒１７を使用しない際には、自動販売機本体１２内の空きスペースにラック支持棒１７を置いておく。
【００１１】
この構成によれば、チェーン２０付きの１本のラック支持棒１７を用いて、上段の収納ラック２を引き出す際には、その高さに応じた箇所にラック支持棒１７を切り換えて取り付けることで、傾斜姿勢を保持することができる。そして、この構成では、１本のラック支持棒１７とこれを係合させる各段の係合片１８、１９とチェーン２０との少ない部品で済むため、製造コストを低減させることができる。
【００１２】
【発明が解決しようとする課題】
しかしながら、上記のように、チェーン２０でつながれたラック支持棒１７を着脱自在とした構成においては、ラック支持棒１７を両手で持ちながら、ラック支持棒１７の片方の端部ずつ係合片１８、１９に係合させなければならない。したがって、片手で上段の収納ラック２を引き出した状態で、ラック支持棒１７を取り付けなければならないことに気付いて、このラック支持棒１７を取り付けようとしても、片手ではラック支持棒１７を取り付けられないため、一旦収納ラック２を奥側に戻して、ラック支持棒１７を取り付けた後、あらためて、収納ラック２の引き出し動作を行わなくてはならず、不便である。また、この際に、チェーン２０がラック支持棒１７にからんで、ラック支持棒１７の取り付け動作自体に手間取る場合もある。
【００１３】
また、係合片１８、１９を取り付けている自動販売機本体１２の内側壁両側間の距離Ｌが、ラック支持棒１７の長さに厳密にあっていなければならないため、自動販売機組付け時には、自動販売機本体１２の内側壁両側間距離Ｌに合わせて、ラック支持棒１７の端部を削るなどの長さ調整を行わなければならない課題もある。
【００１４】
さらに、図１３に示すように、ラック支持棒１７を取り付けたままの状態で、誤って、内扉１４を閉じようとした場合に、内扉１４のヒンジ２１側の角部１４ａが比較的大きな角度αで当接するため、内扉１４のヒンジ２１などに無理な力がかかって損傷する可能性が高かった。
【００１５】
本発明は上記問題や課題を解決するもので、製造コストの上昇を抑えることができながら、収納ラックを傾斜姿勢に保持することができ、しかも、ラック支持棒を片手で簡単に取り付けることができ、さらに、ラック支持棒の長さ調整を行わなくても済み、また、ラック支持棒を取り付けたままの状態で誤って内扉を閉じようとした場合でも内扉のヒンジ部などを損傷させる可能性が低い自動販売機の収納装置を提供することを目的とする。
【００１６】
【課題を解決するための手段】
上記問題や課題を解決するために本発明の請求項１記載の自動販売機の収納装置は、複数の商品を奥行方向に並べて収納する収納ラックが、横方向に複数列配設されているとともに上下に複数段配設され、各収納ラックが手前側へ引き出し自在に配置された自動販売機であって、上から１段目と２段目との収納ラックに対して、引き出した際に手前側が下方となる傾斜姿勢に保持する傾斜姿勢保持手段を設け、この傾斜姿勢保持手段として、収納ラックの後端部またはその近傍箇所に配設され、収納ラックを引き出した際に、自動販売機本体側の部品に係合して、収納ラックの後端部側の支点となる係止部と、自動販売機本体における一方の内側壁の枢支点を中心として上下に回動自在に枢支された連結リンクと、
この連結リンクにその一端側が連結されたラック支持棒と、自動販売機本体の他方の内側壁における、前記枢支点よりも高い位置と低い位置とにそれぞれ取り付けられ、前記ラック支持棒の他端部がそれぞれ係合可能である第１、第２の被係合部とが設けられ、前記ラック支持棒の他端部を第１、第２の被係合部に切り換えて係合させることで、前記ラック支持棒を、前記枢支点よりも高い位置と低い位置とのそれぞれの位置で横方向に延びる姿勢に位置決め可能に構成したことを特徴とする。
【００１７】
上記構成において、上から１段目の収納ラックに商品を充填すべく、この収納ラックを引き出して、その手前側を下方に傾斜させる際には、ラック支持棒の他端部を、枢支点よりも高い位置の第１の被係合部に係合させる。これにより、ラック支持棒が、自動販売機本体の内側壁における連結リンクの枢支点よりも高い位置で横方向に延びる姿勢に位置決めされ、この収納ラックは、後端部側の係止部を支点として、前記ラック支持棒に当接して、前傾姿勢で支持される。
【００１８】
また、上から２段目の収納ラックに商品を充填すべく、この収納ラックを引き出して、その手前側を下方に傾斜させる際には、ラック支持棒の他端部を、枢支点よりも低い位置の第２の被係合部に係合させる。これにより、ラック支持棒が、自動販売機本体の内側壁における連結リンクの枢支点よりも低い位置で横方向に延びる姿勢に位置決めされ、この収納ラックは、後端部側の係止部を支点として、前記ラック支持棒に当接して、前傾姿勢で支持される。
【００１９】
これらの場合の動作としては、ラック支持棒の他端部を第１または第２の被係合部に係合させるだけでよく、このラック支持棒の被係合部への係合動作はラック支持棒の片側だけでよいので片手で容易に行うことができる。また、傾斜姿勢保持手段として、一本のラック支持棒と、このラック支持棒の一端側を連結する連結リンクと、各段毎に設けた被係合部だけで済むため、製造コストも最小限に抑えることができる。また、連結リンクを介してラック支持棒を連結しているため、自動販売機本体の一方の内側壁における連結リンクの取り付け位置と、自動販売機本体の他方の内側壁における被係合部の取り付け位置との間の距離が設計値と多少異なっていた場合でも、この寸法差はラック支持棒と連結リンクとの連結部分の角度によって吸収され、この結果、ラック支持棒の長さを厳密に調整しなくても、支障なくラック支持棒を被係合部に係合させて横姿勢に位置決めすることができる。
【００２０】
また、請求項２に記載の発明は、請求項１に記載の自動販売機の収納装置において、ラック支持棒の他端部が係合する各被係合部に、ラック支持棒の他端部を自動販売機本体の内側壁における奥側の位置にずらして固定する溝部が形成されていることを特徴とする。
【００２１】
この構成によれば、ラック支持棒の他端部が、被係合部に対して、奥側にずれた位置で固定されるため、ラック支持棒を取り付けたままの状態で、誤って、内扉を閉じようとした場合でも、ラック支持棒に対して内扉のヒンジ側の角部が比較的小さな角度で当接し、内扉のヒンジ部などを損傷することを最小限に抑えることができる。
【００２２】
【発明の実施の形態】
以下、本発明の実施の形態にかかる自動販売機の収納装置を図面に基づき説明する。なお、従来の自動販売機と同様な機能の構成要素には同符号を付し、商品の払出構造などは従来のものと同様な構造のものが用いられている。
【００２３】
図１および図２に示すように、この自動販売機においても、複数の商品を奥行方向に並べて収納する収納ラック２が、横方向に複数列配設されているとともに上下に複数段配設され、各収納ラック２が、自動販売機本体１２内に設けられたガイドレール１３および支持台２２に沿って手前側へ引き出し自在に配置されている。また、各収納ラック２の後端部には、ガイドレール１３の前端部箇所に設けた規制部１３ａに係合可能な摺動ロッド１５Ｂが設けられ、各収納ラック２の手前側に最も引き出した際の位置が規制されるようになっている。
【００２４】
図１および図２に示すように、上から１段目と２段目（以下、上段と称す）の収納ラック２は、収納ラック２を引き出した際に手前側が下方となり、内部が覗けて奥まで手が届く傾斜姿勢に保持可能に構成されている。
【００２５】
この傾斜姿勢を保持する手段として、収納ラック２を引き出した際に、ガイドレール１３の前端部に設けた規制部１３ａに係合して、収納ラック２の後端部側の支点となる係止部としての摺動ロッド１５Ｂと、連結リンク３３を介して、自動販売機本体１２の内側壁１２ｂ、１２ｃ両側間に掛け渡されるラック支持棒３５などが設けられている。
【００２６】
図３〜図５に示すように、連結リンク３３は、その一端側が、自動販売機本体１２の一方の内側壁１２ｂ上部側に、取付ブラケット３６を介して上下に回動自在に枢支され、他端側が前方に突出し、ラック支持棒３５に設けられた挿通孔３５ａに挿通されて連結されている。なお、連結リンク３３には補強板３７が溶着されている。また、３３ａは、自動販売機本体１２の内側壁１２ｂに対する連結リンク３３の枢支点である。
【００２７】
ラック支持棒３５は、その基端部が、連結リンク３３の他端に少し前後に余裕をもった状態で連結され、連結リンク３３の他端を中心として鉛直面内を回動自在とされているとともに、前後方向にも若干移動可能とされている。ラック支持棒３５の先端部には、ワッシャがねじで留められて鍔部３５ｂが形成されている。
【００２８】
図５（ｂ）、図６に示すように、自動販売機本体１２の他方の内側壁１２ｃ上部側における、前記枢支点３３よりも略同じ寸法だけ高い位置と低い位置とに、ラック支持棒３５の先端部を係止する被係合部としての第１の係止ブラケット３８Ａと第２の係止ブラケット３８Ｂとがそれぞれねじで取り付けられている。各係止ブラケット３８Ａ、３８Ｂには、上部側に大きく開口された第１開口溝部３８ａと、第１開口溝部３８ａから下方に続いて開口する第２開口溝部３８ｂと、第２開口溝部３８ｂから奥側に続いて開口する第３開口溝部３８ｃとが形成されている。そして、ラック支持棒３５を水平姿勢となるように持ち上げて、その先端部を第１開口溝部３８ａに突入させた後、下方に移動させ、さらに奥側に移動させることで、ラック支持棒３５の先端部の鍔部３５ｂを第３開口溝部３８ｃに嵌入させて位置決めできるようになっている。
【００２９】
また、図１、図２、図７に示すように、自動販売機本体１２の一方の内側壁１２ｂ上部側には、ラック支持棒３５を使用しない場合に係止しておくためのフック３９が設けられており、例えばこのフック３９は、図７に示すように、ラック支持棒３５に係合する湾曲部４０ａを有する板バネ４０で構成されている。
【００３０】
この構成において、上から１段目の収納ラック２に商品１を充填すべく、この収納ラック２を引き出して、その手前側を下方に傾斜させる際には、図１、図２、図６において実線で示すように、ラック支持棒３５の他端部を、枢支点３３ａよりも高い位置の第１の被係合部３８Ａに係合させる。この係合させる手順としては、まず、第１の係止ブラケット３８Ａの第１開口溝部３８ａに突入させ、さらにこのラック支持棒３５の端部を下方と奥側とに移動させて第２開口溝部３８ｂを介して第３開口溝部３８ｃに係合させる。
【００３１】
この状態で、引き出した１段目の収納ラック２をラック支持棒３５の上に載せると、この収納ラック２の重量がラック支持棒３５に負荷されるとともに連結リンク３３に対して上方から圧縮するように作用し、これにより、ラック支持棒３５の他端部が、第１の係止ブラケット３８Ａが設けられている内側壁１２ｃに対して突っ張るように当接して位置決めされる。この結果、この当接点が所定位置に固定されるとともに、所定長さのラック支持棒３５および連結リンク３３が位置決めされ、ラック支持棒３５はほぼ水平となった横姿勢に保持される。したがって、収納ラック２は横姿勢に保持されたラック支持棒３５により、手前側が下方となるように傾斜した姿勢で良好に支持される。
【００３２】
また、上から２段目の収納ラック２に商品１を充填すべく、この収納ラック２を引き出して、その手前側を下方に傾斜させる際には、図１、図２、図６において仮想線で示すように、ラック支持棒３５の他端部を、枢支点３３ａよりも低い位置の第２の被係合部３８Ｂに係合させる。なお、この係合手順は、第１の被係合部３８Ａの場合と同じである。
【００３３】
この状態で、引き出した２段目の収納ラック２をラック支持棒３５の上に載せると、この収納ラック２の重量がラック支持棒３５に負荷されるとともに連結リンク３３に対して下方に引っ張るように作用し、これにより、ラック支持棒３５の他端部が、第２の係止ブラケット３８Ｂを引っ張るようにしながら当接して位置決めされる。この結果、この当接点が所定位置に固定されるとともに、所定長さのラック支持棒３５および連結リンク３３が位置決めされ、ラック支持棒３５はほぼ水平となった横姿勢に保持される。したがって、収納ラック２は横姿勢に保持されたラック支持棒３５により、手前側が下方となるように傾斜した姿勢で良好に支持される。
【００３４】
また、上記何れの場合でも、ラック支持棒３５の他端側は、連結リンク３３を介して自動販売機本体１２の内側壁１２ｂに連結されているので、ラック支持棒３５の第１、第２係止ブラケット３８Ａ、３８Ｂへの係合動作は、ラック支持棒３５の一方の端部だけでよく、片手で容易に行うことができる。したがって、片手で上段の収納ラック２を引き出した状態で、ラック支持棒３５を取り付けなければならないことに気付いた場合でも、この時点から片手でラック支持棒３５を持って第１、第２係止ブラケット３８Ａ、３８Ｂに係合させるだけでよく、従来のように収納ラック２を元の位置に戻したりする作業が不要となり、便利である。
【００３５】
また、傾斜姿勢保持手段として、一本のラック支持棒３５と、連結リンク３３と、第１、第２係止ブラケット３８Ａ、３８Ｂなどだけで済むため、製造コストも最小限に抑えることができる。
【００３６】
また、連結リンク３３を介してラック支持棒３５を連結しているため、自動販売機本体１２の内側壁１２ｂ、１２ｃ間の距離や、取付ブラケット３６や連結リンク３３の取り付け位置、係止ブラケット３８の取り付け位置などに多少ずれを生じていた場合でも、この寸法差はラック支持棒３５と連結リンク３３との連結部分の開き角度などによって吸収され、この結果、ラック支持棒３５の長さを厳密に調整しなくても、支障なくラック支持棒３５を第１、第２係止ブラケット３８Ａ、３８Ｂに係合させることができる。
【００３７】
さらに、この構成によれば、最終的に、ラック支持棒３５の端部を、第１、第２係止ブラケット３８Ａ、３８Ｂにおける第１開口溝部３８ａよりも奥側（後方側）の第３開口溝部３８ｃで固定されるため、ラック支持棒３５を取り付けたままの状態で、誤って、内扉１４を閉じようとした場合でも、図８において実線で示すように、内扉１４を奥側寄りまで閉じていった時点で、ラック支持棒３４に対して内扉１４のヒンジ２１側後部の角部１４ａが比較的小さな角度βで当接する。したがって、従来と同様に、ラック支持棒３５を取り付けたままの状態では、内扉１４を完全に閉めることはできないものの、内扉１４のヒンジ２１などの損傷を最小限に抑えることができる。つまり、図８において仮想線で、ラック支持棒３５の端部を、係止ブラケット３８における第１開口溝部３８ａの位置で固定された場合（図１３に示す、従来の構成の場合と同様の状態）を示し、この際には、内扉１４を少し閉じていった状態で、内扉１４のヒンジ２１側後部の角部１４ａがすぐに当接し、開き角度αが大きいため、内扉１４のヒンジ２１などを損傷するおそれが比較的大きいが、上記実施の形態の構成によれば、このようなことがなく、内扉１４のヒンジ２１などの損傷を最小限に抑えることができる。
【００３８】
なお、上記実施の形態においては、横並びの２つの収納ラック２毎に手前側へスライドする場合を述べたが、各収納ラック２毎にスライドする場合などでもよいことはもちろんである。また、上記の構成は、バケットユニットにより収納ラック２から払い出された商品１を受ける構成の自動販売機に適用できるだけではなく、収納ラック２から払い出された商品１を、自動販売機の下部に設けたシュートなどで受ける構成の自動販売機にも適用でき、すなわち、収納ラック２が横方向へ引き出し自在に配置された自動販売機に対して適用できることはもちろんである。
【００３９】
【発明の効果】
以上のように本発明によれば、収納ラックを引き出した際に手前側が下方となる傾斜姿勢に保持する傾斜姿勢保持手段として、収納ラックを引き出した際に、自動販売機本体側の部品に係合して、収納ラックの後端部側の支点となる係止部と、自動販売機本体における一方の内側壁の枢支点を中心として上下に回動自在に枢支された連結リンクと、この連結リンクにその一端側が連結されたラック支持棒と、自動販売機本体の他方の内側壁における、前記枢支点よりも高い位置と低い位置とにそれぞれ取り付けられ、前記ラック支持棒の他端部がそれぞれ係合可能である第１、第２の被係合部とを設けた構成とすることで、片手で上段の収納ラックを引き出した状態でも、この時点から片手でラック支持棒を持って第１、第２の被係合部に係合させて容易にラック支持棒を適した位置に位置決めして取り付けることができ、従来のように収納ラックを元の位置に戻したりする作業が不要となり、便利である。また、傾斜姿勢保持手段として、一本のラック支持棒と、連結リンクと、各段毎に設けた第１、第２の被係止部などだけで済むため、製造コストも最小限に抑えることができる。また、連結リンクを介してラック支持棒を連結しているため、自動販売機本体の内側壁間の距離などに製品間において多少の寸法差を生じていた場合でも、支障なくラック支持棒を第１、第２の被係止部に係合させることができ、これによっても良好な利便性を維持できる。
【００４０】
さらに、ラック支持棒の他端部が係合する各被係合部に、ラック支持棒の他端部を自動販売機本体の内側壁における奥側の位置にずらして固定する溝部を形成することで、誤って、内扉を閉じようとした場合でも、ラック支持棒に対して内扉のヒンジ側の角部が比較的小さな角度で当接し、内扉のヒンジ部などを損傷することを最小限に抑えることができ、これにより、信頼性を向上させることができる。
【図面の簡単な説明】
【図１】本発明の実施の形態にかかる自動販売機の外扉および内扉を開けた状態を示す正面図である。
【図２】同自動販売機の側面断面図である。
【図３】同自動販売機の連結リンク配設箇所近傍の斜視図である。
【図４】同自動販売機の連結リンク配設箇所近傍の正面図である。
【図５】（ａ）は同自動販売機のラック支持棒配設箇所近傍を概略的に示す平面断面図、（ｂ）はラック支持棒と係止ブラケットとの係合箇所の拡大平面断面図、（ｃ）はラック支持棒の連結リンクとの連結箇所の拡大平面断面図である。
【図６】同自動販売機のラック支持棒と係止ブラケットとの係合箇所の拡大側面図である。
【図７】同自動販売機のフックの取り付け部分の平面断面図である。
【図８】同自動販売機の内扉を支持するヒンジ部分を拡大して示す平面図である。
【図９】（ａ）は従来の自動販売機の外扉および内扉を開けた状態を示す正面図、（ｂ）は概略的な側面断面図である。
【図１０】同従来の自動販売機の収納ラックの引き出し状態を示す側面図である。
【図１１】（ａ）は同従来の自動販売機の収納ラックの正面図、（ｂ）はゲート閉鎖時の側面図、（ｃ）はゲート開放時の側面図である。
【図１２】同従来の自動販売機の収納ラックを引き出している状態を示す斜視図である。
【図１３】同従来の自動販売機の内扉を支持するヒンジ部分を拡大して示す平面図である。
【符号の説明】
１　　　　商品
２　　　　収納ラック
１２　　　自動販売機本体
１２ｂ、１２ｃ　　内側壁
１３　　　ガイドレール（ガイド部材）
１５Ｂ　　摺動ロッド（係止部）
２２　　　支持台
３３　　　連結リンク
３３ａ　　枢支点
３５　　　ラック支持棒
３８Ａ　　第１の係止ブラケット（第１の被係合部）
３８Ｂ　　第２の係止ブラケット（第２の被係合部）
３８ａ　　第１開口溝部
３８ｂ　　第２開口溝部
３８ｃ　　第３開口溝部
【図１】
2004054447.tif 000003
【図２】
2004054447.tif 000004
【図３】
2004054447.tif 000005
【図４】
2004054447.tif 000006
【図５】
2004054447.tif 000007
【図６】
2004054447.tif 000008
【図７】
2004054447.tif 000009
【図８】
2004054447.tif 000010
【図９】
2004054447.tif 000011
【図１０】
2004054447.tif 000012
【図１１】
2004054447.tif 000013
【図１２】
2004054447.tif 000014
【図１３】
2004054447.tif 000015